(57)【要約】【課題】測定機器の複数のデータ・チャネルの表示を所望グループに容易且つ便利に配列できるようにする。【解決手段】複数のデータ・チャネルからグループを自動的に形成するために、複数のデータ・チャネルから表示用のチャネルを選択する。表示されたチャネルの１つを、近傍の他の表示されたチャネルに移動させて、グループを形成する。また、他のグループに近傍のグループを移動させて、これら２つのグループを組合せた新たなグループを形成する。【選択図】図２
2008197105.tif 000002
【特許請求の範囲】
【請求項１】
複数のデータ・チャネルからグループを自動的に形成する方法であって、
上記複数のデータ・チャネルから表示用のチャネルを選択する選択ステップと、
表示されたチャネルの１つを、近傍の他の表示されたチャネルに移動させて、グループを形成する移動ステップと
を具えるチャネルのグループの自動形成方法。
【請求項２】
他のグループに近傍のグループを移動させて、これら２つのグループを組合せた新たなグループを形成するステップを更に具えることを特徴とする請求項１のチャネルのグループの自動形成方法。
【請求項３】
上記移動ステップにおいて、選択された上記チャネルは、２つの他のチャネルの近傍に位置決めされ、上記２つの他のチャネルの間に挿入されて、上記グループを形成することを特徴とする請求項１のチャネルのグループの自動形成方法。
【請求項４】
上記移動ステップにおいて、上記グループは、他のチャネルの近傍に位置決めされ、新たなグループを形成することを特徴とする請求項１のチャネルのグループの自動形成方法。
【発明の詳細な説明】
【技術分野】
【０００１】
本発明は、一般に、多チャネル表示に関し、特に、複数のデータ・チャネルから自動的にグループを形成する方法に関する。
【背景技術】
【０００２】
ロジック・アナライザ（ＬＡ）又はミックスド・シグナル・オシロスコープ（ＭＳＯ：デジタル信号及びアナログ信号を一緒に測定するオシロスコープ）などの試験及び測定機器のあるカテゴリでは、複数のデータ・チャネルの表示を行っている。このレベルの視覚的な構成を複雑にすると、ユーザにとっては、表示が煩わしかったり冗長なものになったりすることある。複数のデータ・チャネルをグループ化することにより、各グループ内のチャネルを一緒に管理することができる。この管理には、表示上で、グループに関連したチャネルをオン又はオフしたり、グループとしてチャネルを移動したりすることがある。
【０００３】
チャネルのグループ化には、固定及びユーザ定義という２つの実現方法が現在ある。固定グループ化の例としては、アジレント・テクノロジーズ社製ＭＳＯ６０００シリーズがあり、ロジック・チャネルの２つの予め定めたグループであるＤ７〜Ｄ０とＤ１５〜Ｄ８とを一緒にオン及びオフにしている。ユーザ定義のグループ化の例としては、テクトロニクス社製ＴＬＡ７０００シリーズがあり、ユーザがグループを定義でき、どのチャネルをグループ内に含めるかを制御できる。これは、一般的にはチェックリストの形式で行われており、ユーザがメニューを呼び出し、どのチャネルをグループ化するかをメニューにて指示する。しかし、通常、２又は４チャネルであるアナログ入力に対してのみ位置（表示位置）制御ができるミックスド・シグナル・オシロスコープでは、複数のロジック・チャネルを一緒にグループ化することは、煩わしい。例えば、先ず、チャネルを多目的ノブに割り当て、このノブを用いて表示上のチャネルを位置決めする。次に、他のチャネルを多目的ノブに割り当て、このノブを用いて表示上のそのチャネルの位置決めをする。各チャネルが適切に位置決めされるまで、この処理を何度も繰り返す。
【０００４】
【特許文献１】特公平９−２６４３９号公報
【発明の開示】
【発明が解決しようとする課題】
【０００５】
そこで、複数のデータ・チャネルの表示を所望グループにユーザが容易且つ便利に配列できる方法が望まれている。
【課題を解決するための手段】
【０００６】
本発明は、複数のデータ・チャネルからグループを自動的に形成する方法であって；複数のデータ・チャネルから表示用のチャネルを選択する選択ステップと；表示されたチャネルの１つを、近傍の他の表示されたチャネルに移動させて、グループを形成する移動ステップとを具えている。
【発明の効果】
【０００７】
よって、本発明によれば、複数のデータ・チャネルの表示を所望グループにユーザが容易且つ便利に配列できる。
【発明を実施するための最良の形態】
【０００８】
よって、本発明は、１対の多目的ノブ（摘み）を用いて、表示用の複数のデータ・チャネルを自動的にグループ化する。なお、１対の多目的の部の一方は、選択に割り当てられ、他方は、移動に割り当てられる。チャネル、又は新たなグループを形成するチャネルのグループをメニューから又は表示から選択ノブにより選択できる。次に、選択されたチャネル又はグループを移動ノブにより表示上の他の位置に移動できる。選択されたチャネル又はグループの移動が他のチャネル又はグループの近傍で停止した場合、新たなグループが自動的に形成される。選択されたチャネル又はグループの移動が前後のチャネルの間、又は他のグループ内で停止すると、選択されたチャネル又はグループは、前後のチャネルの間、又は他のグループ内に自動的に挿入されて、新たなグループを形成する。同様に、チャネルを選択し、このチャネルを表示上でそのグループから離れた他の位置に移動させることにより、そのチャネルをグループから分離できる。
【０００９】
本発明の目的、利点及び新規な特徴は、添付図を参照した以下の詳細な説明から明らかになろう。
【実施例】
【００１０】
図１は、本発明による測定機器の正面図である。測定機器であるミックスド・シグナル・オシロスコープ（以下、単にＭＳＯと呼ぶこともある）１０は、表示用に複数のデータ・チャネル（以下、単にチャネルと呼ぶこともある）を自動的にグループ化する。ＭＳＯ１０は、アナログ信号及び／又はロジック信号を表示する表示器１２を具えており、この表示には、図形領域により囲まれる信号領域がある。表示器１２の周囲のベゼル上には、複数のボタン１４が設けられ、これらボタンは、図形領域内に指示される機能と関連する。この点については、詳細に後述する。表示器１２の近傍には制御インタフェース１６が設けられており、この実施例では、制御インタフェースが２個の多目的ノブ１８ａ及び１８ｂを有する。
【００１１】
複数、例えば、１６個のロジック・チャネルを表示するために、「Ｄ１５〜Ｄ０」ボタン２０が活性化されると、選択されたロジック・チャネルが表示器１２上に示される。表示器１２上において、チャネル・オン／オフ・メニュー・ラベル２２は、図２（図１の測定機器の表示の平面図）に示すように現れる。隣接したボタン１４を押すと、図３（図１の測定機器の表示の一部の平面図）に示すようにメニュー２４が現れる。このメニュー２４は、本実施例においては、利用可能なチャネル（ＣＨ）であるＤ１５〜Ｄ０のリストである。多目的ノブ１８ａ、１８ｂは、選択（Select）又は移動（Move）の２つの機能の一方に夫々割り当てられる。以下の説明のために、上側の多目的ノブ１８ａが選択ノブに割り当てられ、下側の多目的ノブ１８ｂが移動ノブに割り当てられる。
【００１２】
以下の説明は、ノブの使用を前提としているが、ソフト・キー、マウス（例えば、「クリック」により選択、「ドラッグ」により位置決め）などの他の形式の入力素子を選択及び位置決め（移動）の機能用に用いてもよい。どのような素子を用いるは重要でなく、単に機能が実現できればよい。
【００１３】
選択ノブを回転させることにより、各チャネルがハイライト（強調）され、図３ではチャネル１がハイライトされて示されている。チェック・マークの如き指示器がオンのチャネルを示す一方、チェック・マークなしは、チャネルがオフであることを示す。表示器の右側の図形には、ラベル２５〜２８が含まれ、これらラベルは、メニュー表示のオン／オフの切り換え、ハイライトされたチャネルのオン／オフの切り換え、チャネルの半分（Ｄ７〜Ｄ０）のグループとしてオン／オフの切り換え、チャネルの残りの半分（Ｄ１５〜Ｄ８）のグループとしてのオン／オフの切り換えを示す。適切な近傍のボタン１４を押すことにより、所望チャネルをオン又はオフにできる。図２に示すように、オンになったチャネルは、表示器１２の信号領域に現れるが、ここではチャネル番号０〜９が現れる。チャネルが表示される順序は任意でよく、設定がデフォルト状態に戻されるまで、オンになったチャネルが、最後にオフになったチャネルと同じ位置に現れる。デフォルト状態では、Ｄ０〜Ｄ１５の数値順序のチャネルを表示器１２の下から示してもよい。
【００１４】
表示器１２上のチャネルがメニュー又は表示から直接的に選択ノブ１８ａにより選択されると、表示上のチャネルの垂直位置が移動ノブ１８ｂにより制御される。チャネル番号は、チャネルの左側の図形領域に示され、あるチャネルが選択されると（図２の場合、右上に示すようにチャネル１が選択されると）、そのチャネル番号がハイライトされる。移動ノブ１８ｂは、選択されたチャネルを表示器１２上で且つ信号領域内で任意所望の位置に移動させる。移動ノブ１８ｂの回転が停止すると、選択されたチャネルの移動も停止する。表示器１２を複数の垂直スロット（垂直方向に配置された水平方向の細長い帯）に分割すると、選択されたチャネルが最も近いスロットに「スナップ」する、即ち、そのスロットにはまる。選択されたチャネルが他のチャネルの近傍で停止すると、このチャネルは、その他のチャネルと連携してグループを形成する。これらチャネルは、表示上で接近したことによりグループとして関連し、任意の順序にできる。選択されたチャネルが、２つの接近したチャネルの間で既に形成された複数チャネルのグループ内で停止すると、このチャネルは、２つのチャネルの間に挿入され、同じグループの一部となる。グループ内の近傍の複数のチャネルを、新たなチャネルに順応させるために、上方／下方に移動させる。グループが形成されると、このチャネルがグループ３０として、チャネル選択メニュー２４に追加される。なお、表示では、グループの端のチャネルのみが表示される。選択ノブ１８ａにより、チャネル選択メニューからか、又はグループ内の一番上のチャネルに達するまで表示器１２上のグループのチャネルを上方にスクロールすることにより、グループを選択できる。なお、図２では、チャネル０からチャネル７に向かって上方にスクロールしている。選択ノブ１８ａの回転において、もう１回クリックすると、この場合、チャネル０〜７のグループが選択される。次に、移動ノブ１８ｂが、選択されたグループ内の総てのチャネルを１単位として移動させる。このグループが他のチャネルの近傍に位置決めされると、新たなチャネルがそのグループに追加される。このグループが他のグループの近傍に位置決めされると、これら２つのグループが新たなグループとして組合される。このグループが他のグループの中に位置決めされると、このグループは、この他のグループに挿入されて、新たなグループを形成する。
【００１５】
したがって、近傍にある複数の個別チャネルを互いに単に移動させることにより、これら複数チャネルの組合せを、グループとして一緒に選択でき且つ移動できる。
【００１６】
図４Ａ及び図４Ｂは、本発明により、表示上でのチャネル及びグループの選択を示す図であり、図４Ａの右側に図４Ｂが配置されて１つの図となる。この図４Ａ及び図４Ｂは、２０個の垂直方向に配置されたスロットＤを有し、水平軸が時間を表す概念図である。最初に、総てのチャネルＤ１５〜Ｄ０がオンとなり、これら総てが表示上に現れる。選択ノブ１８ａにより表示器１２の頂部（スクロール頂部）の部分を選択すると、頂部の４チャネル（Ｄ１５〜Ｄ１２）がグループとして選択される。選択ノブ１８ａが回転されて、表示を下方にスクロールすると、次に、チャネルＤ１１〜Ｄ１０の次のグループ化まで、各チャネル（Ｄ１５〜Ｄ１２）が個別に選択される。各チャネルを個別に選択することを継続する前に、次のグループを選択する。チャネルＤ８を選択した後、担ぎの各チャネルを個別に選択する前に、連続したスクロールにより、チャネル（Ｄ７〜Ｄ０）の最終グループをまず選択する。選択ノブを一方向に回転させることにより、表示器１２での下方スクロールによって選択処理を行う一方、選択ノブを反対方向に回転させることにより、表示器１２での上方スクロールによって選択処理を行う。なお、図において、ＣＣＷは、反時計回転方向を示し、ＣＷは、時計回転方向を示す。
【００１７】
図５Ａ及び図５Ｂは、本発明により、デフォルト状態からチャネルをオンにしてグループを形成することを示す図である。総てのチャネルがオフで、デフォルト状態から開始するが、Ｄ０から１つずつチャネルをオフにしてもよい。最初に、Ｄ０が表示器１２のほぼ中心（図２及び３において点線で示す）に現れる。新たなチャネルの各々が順次オンになりので、この新たなチャネルは表示器１２の中心に配置され、前のチャネルが表示器上で下方向に押される、即ち、下方に移動する。所望グループ（Ｄ７〜Ｄ０）が形成されるまで、新たなチャネルの各々が既存のグループに追加される。代わりに、図３に示す表示器１２上の適切な図形の対向するボタン１４によって、チャネル（Ｄ７〜Ｄ０）の初めの半分をオンにしてもよい。この点にて、グループが選択され、中心近傍にならないように下方に移動される。次に、残りのチャネルが順次選択されて第２グループを形成し、表示器１２の底部（スクリーン底部）に達するまで、総ての下側のチャネルが下方に押される。この点で、オンにされた新たなチャネルが、以前に選択されたチャネルの頂部に追加される。
【００１８】
図６Ａ及び図６Ｂは、本発明により、個別のチャネルを移動させてグループを形成することを示す図である。この図では、いくつかのチャネル（Ｄ８〜Ｄ０）がオンになるが、互いに接近していないので、グループが存在しない状態である。最初に、上側のチャネルＤ８の上にチャネルＤ７を移動させることにより、このチャネルＤ７を数値順でないように移動する。Ｄ７が移動を停止するとき、このチャネルＤ７が他のチャネルの近傍にないと、グループ化が行われない。しかし、Ｄ８がＤ７の近傍で上に移動されると、グループ化が行われる。次に、Ｄ６を選択し、Ｄ８及びＤ７の間に移動させて、グループの既に存在するチャネルの間において、このグループ内に挿入する。同様に、Ｄ５をこのグループの頂部に追加し、この場合、他のチャネルを下方に押し、表示器１２の頂部にて、上から下にＤ５、Ｄ８、Ｄ６、Ｄ７の順序でグループ化する。残りのチャネルＤ４〜Ｄ０も同様な方法で、表示器１２の底部にて、Ｄ１、Ｄ４、Ｄ２、Ｄ３、Ｄ０の順序でグループ化する。
【００１９】
図７Ａ及び図７Ｂは、本発明により、個別のチャネル及びグループを更に移動させて新たなグループを形成することを示す図である。この図７Ａ及び図７Ｂは、グループの移動を示しており、頂部のグループは１スロットだけ下方に移動され、底部のグループは上方に移動されて、これら２つのグループを組合せた新たなグループが形成される。なお、底部グループは、頂部グループの中間に挿入される。次に、中間の１チャネル（Ｄ２）が選択されて、このグループから取り出され、２つのグループと単一のチャネルとを形成する。下側のグループが単一チャネルの下に移動するので、Ｄ２がグループの頂部となる。次に、下側のグループ内のチャネルの１つ（Ｄ６）をオフにして、グループを分離する。このオフになったチャネルの上のチャネル（Ｄ０）が自動的に選択される。オフのチャネルがオンになると、このチャネルは、前と同じ位置に現れる。新たなチャネルがデフォルト位置でオンになるので、これらチャネルが表示器１２の中心に加わり、最も下のチャネルが表示の底部になるまで、既存のチャネルを下方に押す。次に、新たなチャネルが、新たな作成されたグループの頂部に加わる。いくつかの点で、オフになったチャネルの１つ（Ｄ６）がオンとなり、以前の場所に現れる。Ｄ６は、新たなグループ（Ｄ１４〜Ｄ９）及びＤ２の両方の近傍であるので、Ｄ６及びＤ２の両方がグループに追加される。最終的には、最後のチャネル（Ｄ１５）がオンとなり、その結果、２つのグループ（Ｄ５〜Ｄ４及びＤ１５〜Ｄ２）及び２つのチャネル（Ｄ０及びＤ７）となる。
【産業上の利用可能性】
【００２０】
上述ではロジック信号及びそれらの垂直位置に関連して本発明を説明したが、複数のチャネルに分割された任意の形式の信号又はデータを同様に操作することもできる。また、垂直表示においては、図示の表示と反対にして、垂直軸と反対の水平軸に沿ってチャネルを移動させることもできる。近傍又は近接とは、表示上のスロット間隔又はピクセル偏位により定義してもよい。
【００２１】
よって、本発明の方法は、チャネルをオンにし、表示上を移動させ、他のチャネルの近傍で移動を停止させたときに任意のグループを形成し、このグループを表示上で一単位として移動できるようにしたので、ユーザが決めたチャネルを自動的にグループ化できる。
【図面の簡単な説明】
【００２２】
【図１】本発明による自動グループ化を行う測定機器の正面図である。
【図２】本発明による図１の測定機器の表示の平面図である。
【図３】本発明による図１の測定機器の表示の一部の平面図である。
【図４Ａ】本発明により、表示上でのチャネル及びグループの選択を示す図である。
【図４Ｂ】本発明により、表示上でのチャネル及びグループの選択を示す図である。
【図５Ａ】本発明により、デフォルト状態からチャネルをオンにしてグループを形成することを示す図である。
【図５Ｂ】本発明により、デフォルト状態からチャネルをオンにしてグループを形成することを示す図である。
【図６Ａ】本発明により、個別のチャネルを移動させてグループを形成することを示す図である。
【図６Ｂ】本発明により、個別のチャネルを移動させてグループを形成することを示す図である。
【図７Ａ】本発明により、個別のチャネル及びグループを更に移動させて新たなグループを形成することを示す図である。
【図７Ｂ】本発明により、個別のチャネル及びグループを更に移動させて新たなグループを形成することを示す図である。
【符号の説明】
【００２３】
１０  ミックスド・シグナル・オシロスコープ
１２  表示器
１４  ボタン
１６  制御インタフェース
１８  多目的ノブ
２０  ボタン
２２  チャネル・オン／オフ・メニュー・ラベル
２４  チャネル選択メニュー
２５〜２８  ラベル
【図１】
2008197105.tif 000003
【図２】
2008197105.tif 000004
【図３】
2008197105.tif 000005
【図４Ａ】
2008197105.tif 000006
【図４Ｂ】
2008197105.tif 000007
【図５Ａ】
2008197105.tif 000008
【図５Ｂ】
2008197105.tif 000009
【図６Ａ】
2008197105.tif 000010
【図６Ｂ】
2008197105.tif 000011
【図７Ａ】
2008197105.tif 000012
【図７Ｂ】
2008197105.tif 000013